(57)【要約】【課題】高耐久性を実現しつつも小型軽量化が可能なシャッタ羽根を提供する。【解決手段】開口部を開閉するよう動作可能なシャッタ羽根であって、羽根本体部と、第１色の透過部材によって形成されており、前記羽根本体部の一部に第２色の接着剤により積層接着された補強板と、を備えており、前記接着剤が視認可能に構成されている、シャッタ羽根を採用する。【選択図】図２
2017223750.tif 000002
【特許請求の範囲】
【請求項１】
開口部を開閉するよう動作可能なシャッタ羽根であって、
羽根本体部と、
第１色の透過部材によって形成されており、前記羽根本体部の一部に第２色の接着剤により積層接着された補強板と、を備えており、
前記接着剤が視認可能に構成されている、
シャッタ羽根。
【請求項２】
前記第１色と前記第２色とが互いに補色または補色に近い色である、
請求項１に記載のシャッタ羽根。
【請求項３】
前記第１色は略白色であり、前記第２色は略黒色である、
請求項１または請求項２に記載のシャッタ羽根。
【請求項４】
前記補強板は、導電塗装が施された樹脂材料で形成される、
請求項１〜請求項３のいずれか１項に記載のシャッタ羽根。
【請求項５】
請求項１〜請求項４のいずれか１項に記載のシャッタ羽根を備えた撮像装置。
【発明の詳細な説明】
【技術分野】
【０００１】
本発明の一態様は、シャッタ羽根、またはシャッタ羽根を備えたカメラなどの撮像装置に関する。
【背景技術】
【０００２】
従来から、カメラのシャッタ装置は小型化及び高速化が進められてきており、同時に高耐久性及び軽量化の要望も高まっている。小型軽量化が進められるとシャッタ羽根を薄く構成することがあり、そうすると破損しやすくなり高耐久性に課題が出る。特に、シャッタ羽根が動作時に駆動ピンやストッパ部などと接触または衝突する部分では破損しやすくなってしまう。これに対して、例えば特許文献１に記載の技術では、強化樹脂を積層したシャッタ羽根を用いることで強度を高めている。
【先行技術文献】
【特許文献】
【０００３】
【特許文献１】特開２００９−１５６９６９号公報
【発明の概要】
【発明が解決しようとする課題】
【０００４】
しかし、上記特許文献１に記載のシャッタ羽根の構成では、シャッタ羽根全体が厚くなってしまうことで重量が増し、シャッタ速度が低下してしまうという課題があった。そこで、高耐久性を実現しつつも小型軽量化及び高速動作が可能なシャッタ羽根が求められている。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
開口部を開閉するよう動作可能なシャッタ羽根（２）であって、
羽根本体部（２１）と、
第１色の透過部材によって形成されており、前記羽根本体部の一部に第２色の接着剤（２３）により積層接着された補強板（２２）と、を備えており、
前記接着剤が視認可能に構成されている、
シャッタ羽根である。
【０００７】
上記構成のシャッタ羽根では、補強板が羽根本体部の一部に積層されているため、羽根全体が厚く形成されることを防止しつつ、特に補強の必要性が高い部分のみを補強することができる。さらに、羽根本体部と補強板との間に接着のために配置された接着剤が視認可能に構成されているため、接着剤が原因となる不具合の特定を容易にすることが可能となる。これにより、不具合発生時の解析時間を短縮することができ、ひいては製造コストを削減することも可能となる。
【０００８】
上記シャッタ羽根において、好ましくは、
前記第１色と前記第２色とが互いに補色または補色に近い色である。
【０００９】
上記シャッタ羽根において、好ましくは、
前記第１色は略白色であり、前記第２色は略黒色である。
【００１０】
上記のシャッタ羽根によれば、第２色の接着剤をより容易に視認する構成とすることができる。
【００１１】
上記シャッタ羽根において、好ましくは、
前記補強板は、導電塗装が施された樹脂材料で形成される。
【００１２】
上記構成のシャッタ羽根によれば、補強板が静電気を帯びることで走行性能を低下させることを抑制することが可能となる。
【００１３】
また、本発明は上記いずれかのシャッタ羽根を備えた撮像装置を含む。
【００１４】
上記の撮像装置によれば、高速動作が可能であり、かつ小型軽量であって耐久性も高いシャッタ羽根を備える構成とすることができる。さらに、接着剤が原因となる不具合の特定が容易であるため、不具合発生時の解析時間を短縮することなども可能となる。
【図面の簡単な説明】
【００１５】
【図１】本実施形態のシャッタ装置の構成を示す図。
【図２】本実施形態のシャッタ装置に含まれるシャッタ羽根の構成を示す図。
【図３】本実施形態のシャッタ羽根の羽根本体部に接着された補強板の各部位を示す図。
【発明を実施するための形態】
【００１６】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．補足事項
【００１７】
＜１．実施形態＞
本実施形態のシャッタ装置は、シャッタ羽根が、羽根本体部と、羽根本体部の一部を覆うように積層接着された補強板とを備えており、羽根本体部に補強板を接着する接着剤が視認可能になっている点を特徴の一つとする。以下、具体的に説明する。
【００１８】
図１は、本実施形態のシャッタ装置の全体を示す平面図である。図２は、本実施形態のシャッタ装置に含まれるシャッタ羽根を抜き出した図である。この図２には、羽根本体部と補強部とが積層接着された状態のシャッタ羽根が示されている。図３は、本実施形態のシャッタ羽根の補強板のみを抜き出した図である。
【００１９】
図１に示されるように、本実施形態のシャッタ装置１の地板には、開口部１ａが形成されており、開口部１ａを覆ったり開放したりするよう動作可能な４枚のシャッタ羽根２ａ、２ｂ、２ｃ及び２ｄを含んで構成される。図１に示されるように、シャッタ羽根２ａは、駆動ピン４により駆動されることで、回転軸３ａを中心に回動する。シャッタ羽根２ｂも同様に回転軸３ｂを中心に回動する。また、詳細な説明は省略するが、シャッタ羽根２ｃ及び２ｄも駆動ピン４により駆動されることで回転軸を中心に回動する。なお、以下の説明ではシャッタ羽根２ａ及び２ｂをまとめてシャッタ羽根２と呼ぶことがあるが、いずれも同様の構成であるため、シャッタ羽根２ａの説明をもってシャッタ羽根２ｂの説明と代えることがある。
【００２０】
＜シャッタ羽根２＞
図２に示されるように、シャッタ羽根２ａは、羽根本体部２１及び補強板２２を含んで構成される。羽根本体部２１は、例えば金属または樹脂などの非透過部材で形成されており、孔２４ａ、２４ｂ、及び２４ｃが形成されている。孔２４ｂは地板に形成された回転軸３ａに挿入されており、孔２４ａには駆動ピン４がそれぞれ挿入される。駆動ピン４が作動することで、シャッタ羽根２ａが回転軸３ａを中心に回動することとなる。
【００２１】
図３に示されるように、補強板２２は、羽根本体部２１の一部を覆うように形成されており、接着剤２３によって羽根本体部に積層接着されている。補強板２２は、羽根本体部２１の一部と略同じ形状に形成されており、羽根本体部２１と同じ位置に孔２４ａ〜２４ｃが形成されている。
【００２２】
羽根本体部２１と補強板２２とに形成された孔２４ａの位置は、シャッタ動作時に駆動ピン４と接触し、羽根本体部２１の他の部分と比較して破損する可能性が高くなっている。また、シャッタ羽根２の動作を規制するストッパと羽根本体部２１とが接触する位置でも、破損の可能性が高くなっている。そこで、上記のように補強板２２を、これらの破損の可能性が高い羽根本体部２１の位置を覆うように積層することで、羽根本体部２１の破損を防止している。
【００２３】
補強板２２は、半透明であって、導電塗装が施されたポリエチレンテフタレート（ＰＥＴ）などの樹脂材料で形成される。これにより、補強板２２が静電気を帯びて走行性能を低下させるなど問題が生じないようにしている。補強板２２は、単に半透明であるだけでなく、所定の色に着色される。なお、補強板２２に対してはつや消し処理を施す。
【００２４】
羽根本体部２１と補強板２２との間に塗布され、羽根本体部２１と補強板２２とを強固に接着する接着剤２３は、例えば樹脂系の素材のものが用いられる。接着剤２３は、補強板２２とは異なる色に着色される。このように、接着剤２３と補強板２２とが異なる半透明色に着色されることで、補強板２２と羽根本体部２１との間の接着剤２３がどの程度の広がりで塗布されているかを、シャッタ羽根を分解することなく容易に視認することができる。
【００２５】
補強板２２と接着剤２３との色は、視認性を高めるため、互いに補色または補色に近い色に着色することが好ましい。具体的には、一方を赤色にした場合には、他方を青緑、青、または緑などの色にすることが好ましい。また、一方を黄色にした場合には、他方を青紫、紫、または青などの色にすることが好ましい。また、接着剤２３の塗布量を視認可能にするため、接着剤２３も半透明であってもよい。
【００２６】
また、補強板２２と接着剤２３との色は、一方が白色または白色に近い色、他方が黒色または黒色に近い色としても良い。このような色にした場合でも、羽根本体部２１と補強板２２との間に塗布された接着剤２３を視認することができる。または、補強板２２を白色の半透明色とし、接着剤２３を半透明としてもよく、この場合も接着剤２３を視認することが可能となる。
【００２７】
このように、本実施形態のシャッタ羽根２では、補強板２２が羽根本体部２１の一部に積層されているため、羽根全体が厚く形成されることを防止しつつ、特に補強の必要性が高い部分のみを補強することができる。さらに、羽根本体部２１と補強板２２との間に接着のために配置（塗布）された接着剤２３が視認可能に構成されているため、接着剤２３が原因となる不具合の特定を容易にすることが可能となる。より具体的には、接着剤２３の塗布量が少ないことが原因で羽根本体部２１に対して補強板２２が浮いている状態を特定したり、接着剤２３がはみ出していることで他の部分に影響を及ぼしていたりすることを特定することなどが可能となる。これにより、不具合発生時の解析時間を短縮することができ、ひいては製造コストを削減することも可能となる。
【００２８】
また、上記のシャッタ羽根２を含むシャッタ装置１を備えたカメラなどの撮像装置によれば、高速動作が可能であり、かつ小型軽量であって耐久性も高い構成とすることができる。さらに、接着剤が原因となる不具合の特定が容易であるため、不具合発生時の解析時間を短縮することなども可能となる。
【００２９】
＜２．補足事項＞
以上、本発明の実施形態についての具体的な説明を行った。上記説明では、あくまで一実施形態としての説明であって、本発明の範囲はこの一実施形態に留まらず、当業者が把握可能な範囲にまで広く解釈されるものである。
【００３０】
上記実施形態では、補強板２２がポリエチレンテフタレート（ＰＥＴ）などの樹脂材料で形成された例を挙げて説明しているが、補強板２２の材料はこれに限定されるものではなく、半透明な他の材料を採用しても良い。
【００３１】
また、上記実施形態では一般的なシャッタ装置を例に挙げ、その特徴部分についてのみ説明したが、上記のシャッタ装置は、従来のレンズシャッタ装置などが備える駆動機構部、地板、及び補助地板などの一般的な構成を当然に備えるものである。
【産業上の利用可能性】
【００３２】
本発明は、小型軽量であって耐久性も高くしつつも、高速動作を要求されるカメラなどの撮像装置などとして効果的に利用される。
【符号の説明】
【００３３】
１…シャッタ装置
１ａ…開口部
２、２ａ、２ｂ、２ｃ、２ｄ…シャッタ羽根
２１…羽根本体部
２２…補強板
２３…接着剤
２４ａ〜２４ｃ…孔
３ａ、３ｂ…回転軸
４…駆動ピン
【図１】
2017223750.tif 000003
【図２】
2017223750.tif 000004
【図３】
2017223750.tif 000005